(57)【特許請求の範囲】
【請求項１】
プラスチックテープヤーンを経糸（１１）とし、単糸繊度が１５デニール以下の多数の繊維によって構成される繊維糸条を緯糸（１２・１３）とし、経糸間隔（Ｖ）と緯糸間隔（Ｓ）を１〜３ｍｍとし、表緯糸（１２）が経糸４〜６本につき１本の割合で経糸（１１）の下に潜る表織組織（ａ）による緯二重織組織（ｃ）によって織成され、隣合う経糸間の隙間（１４）が０．５ｍｍ以下であり、隣合う表緯糸間の隙間（１５）が１ｍｍ以下の織密度になっており、表面にプリント模様（１６）が施されていることを特徴とする平織敷物。
【発明の詳細な説明】
【０００１】
【発明の属する技術分野】
本発明は、プリント模様を施した平織敷物、即ち、表面にカットパイルやループパイルを有しない平織組織、斜文（綾）織組織、朱子織組織等によって織成された比較的厚手の平板な織物に成る敷物に関するものである。
【０００２】
【従来の技術】
平織敷物は、カットパイルやループパイルを有するパイル布帛に成る敷物に較べると、平板で凹凸感がなく、商品価値が低いイメージがある。
【０００３】
【発明が解決しようとする課題】
プリント模様は平織敷物の商品価値を高めるために施されるが、プリント模様は種々の品物に施されているので、ただプリント模様を施したと言うだけでは格別人目を惹く美観を呈しない。
【０００４】
【発明の目的】
そこで本発明は、平織敷物の表面に施されるプリント模様に外観上の変化を与え、平板敷物を一層見栄えのよいものにすることを目的とする。
【０００５】
【課題を解決するための手段】
本発明に係る平織敷物１７は、プラスチックテープヤーンを経糸１１とし、単糸繊度が１５デニール以下の多数の繊維によって構成される繊維糸条を緯糸１２・１３とし、経糸間隔（Ｖ）と緯糸間隔（Ｓ）を１〜３ｍｍとし、表緯糸１２が経糸４〜６本につき１本の割合で経糸１１の下に潜る表織組織（ａ）による緯二重織組織（ｃ）によって織成され、隣合う経糸間の隙間１４が０．５ｍｍ以下であり、隣合う表緯糸間の隙間１５が１ｍｍ以下の織密度になっており、表面にプリント模様１６が施されていることを特徴とする。
【０００６】
単糸繊度が１５デニール以下の繊維に成るマルチフイラメント糸や紡績糸１２では各繊維表面での乱反射によって光沢が少ないので、そのように経糸１１にテープヤーンを用い、それが表緯糸（１２）４〜６本につき１本の割合で経糸１１が表緯糸１２の上を越えて表面に現われるようにすると、その平織敷物表面に飛び飛びに点在する経糸１１の光沢が強い印象をあたえるので、その表面に施されたプリント模様１６は立体感を帯びたものとなる。
【０００７】
本発明において、表緯糸１２が経糸４〜６本につき１本の割合で経糸１１の下に潜るようにする第１の理由は、経糸１１が余り多く表面に現われると、テープヤーン（１１）を経緯に用いた包装用基布のように、平織敷物全体１７がきらついて安っぽい印象を与えるからであり、第２の理由は、マルチフイラメント糸や紡績糸（１２）に比してテープヤーン（１１）が染色性を欠くので、プリント模様１６を鮮明に描出することが出来ないからであり、第３の理由は、表面に現われる経糸１１の割合が少ない織組織に成る織物では、経糸と緯糸の接結点の数も少なく、敷物としての耐摩耗性を欠くものになるからである。
【０００８】
経糸間隔（Ｖ）と緯糸間隔（Ｓ）をそれぞれ１〜３ｍｍとする理由は、表緯糸４〜６本につき１本の割合で表緯糸１２の上を越える経糸１１は、周囲が光沢の少ない表緯糸１２に囲まれた縦横各１〜３ｍｍの枡目のように現われて人目を惹くものであるが、それが余り細かければ格別人目を惹かず、それを点在させてプリント模様１６に立体感を付与しようとする所期の効果が得られず、その反面、それが余り大きくなると上記の如く平織敷物全体１７が梱包資材を転用したかの如き安っぽいイメージを与えると共に、それが余り大きければその裏面１９に染液・塗料が滲み込まず、経糸１１の下に潜った表横糸１２の部分２０が着色されず、プリント模様１６の鮮明度が低下するためである。
【０００９】
即ち、本発明において染色性を有しないテープヤーン（１１）を経糸に使用し、それを４〜６本の表緯糸１２つき１本の割合で表面に現われるようにする理由は、その有する光沢によってプリント模様１６に立体感を付与するためだけではなく、テープヤーン（１１）がプラスチックフイルムと同様に非吸湿性であり、その周囲に付着した染液の塗料がテープヤーン（１１）に吸収されずにその裏側１９へと滲み込み易く、その滲み込んだ染液・塗料によってテープヤーン（１１）の下に潜った表緯糸の部分２０が着色される一方、テープヤーン（１１）がプラスチックフイルムと同様に透明又は半透明で隠蔽性がなく、その下に潜って着色された表緯糸１２の色彩（２０）がテープヤーン（１１）の表面に現われて、恰もテープヤーン（１１）の枡目１８も着色されたかの観を呈し、枡目それ自体が直接着色されなくてもプリント模様全体１６の色彩が鮮やかになるからである。この点で、枡目１８となって現われるテープヤーン（１８）の面積が大きければ、その下に潜った表緯糸の部分２０に染液・塗料が十分に滲み込み難く、枡目１８が白地のまま残ってプリント模様全体の彩度が悪くなる。
【００１０】
そして特に、経糸間隔（Ｖ）を１〜３ｍｍとし、隣合う経糸間の隙間１４を０．５ｍｍ以下にする場合には、隣合って密着して並んだ経糸１１に妨げられて染料・塗料が裏緯糸１３へと滲み込み難くなって表緯糸１２に十分吸収されてプリント模様１６が鮮明になる。従って、そのように染液・塗料が表緯糸１２にだけ吸収され、裏緯糸１３には殆ど吸収されないようにするためには、隣合う経糸１１や表緯糸１２を密着させ、それらの間の隙間１４・１５を出来るだけ少なくなるようにすることが望まれる。
【００１１】
平織敷物１７を緯二重織組織（ｃ）とする理由は、平織敷物１７に厚みを付与してプリント模様１６の立体感を更に高め、表緯糸１２・１２に出来る僅かな隙間１５をも裏緯糸１３で塞いでプリント模様１６を鮮明なものとし、平織敷物１７を野外で使用する場合に塵埃が裏面から表面へと入り込まず、又、車両内部に敷いて使用する場合、濡れた体を平織敷物１７に当てても水気が裏面に廻り込んで座席シート等が汚染されないようにするためである。
【００１２】
【発明の実施の形態】
図１と図２は、本発明に係る平織敷物１７の具体例を図示するものである。この平織敷物１７は、経糸１１が表緯糸４本につき１本の割合で表面に現われ、裏緯糸４本につき１本の割合で裏面に現われるようになっている。
【００１３】
即ち、経糸１１は、その４本（Ｗ1 〜Ｗ4 ）を単位として整経され、その間に順次打ち込まれる４本の表緯糸Ｆ1 ・Ｆ2 ・Ｆ3 ・Ｆ4 および４本の裏緯糸Ｂ1 ・Ｂ2 ・Ｂ3 ・Ｂ4 に対し、織組織の一完全において、経糸Ｗ1 は、表緯糸Ｆ1 の上を越えて表面に現われ裏緯糸Ｂ2 の下に潜って裏面に表われ、経糸Ｗ2 は、表緯糸Ｆ2 の上を越えて表面に現われ裏緯糸Ｂ3 の下に潜って裏面に表われ、経糸Ｗ3 は、表緯糸Ｆ4 の上を越えて表面に現われ裏緯糸Ｂ1 の下に潜って裏面に表われ、経糸Ｗ4 は、表緯糸Ｆ3 の上を越えて表面に現われ裏緯糸Ｂ4 の下に潜って裏面に表われている。
【００１４】
経糸間隔（Ｖ）は１．４ｍｍ、緯糸間隔（Ｓ）は１．８ｍｍになっている。図中、２１は着色部分であり、２２は未着色部分である。平織敷物１７は樹脂溶液に浸漬・絞液し、或いは、裏面にバッキング剤を塗布する等して仕上げることが出来る。
【００１５】
【発明の効果】
本発明によると、上記の通り、全面に光沢のある経糸１１が、縦横１〜３ｍｍの枡目状（１８）に飛び飛びに現われ、その経糸それ自体１１が直接着色されていなくても、その表面には染色された表緯糸（２０）の色彩が現われ、その表面に付与する染液・塗料は表緯糸１２に吸収され、表面に多く現われる表緯糸１２は単糸繊度１５デニール以下の脹らみのあるマルチフイラメント糸や紡績糸である一方、表面に飛び飛びに現われる経糸（１８）は脹らみのないテープヤーンであるから、テープヤーンの現われる部分（枡目１８）が凹部となり表緯糸が現われる部分が凸部となった凹凸感が布帛全体に現れて、プリント模様１６が鮮明で立体感があり美的変化に富む平織敷物１７が得られる。
【図面の簡単な説明】
【図１】本発明の平織敷物の織組織図であり、図中、（ａ）は表織組織図を、（ｂ）は裏織組織図を、（ｃ）は表織組織図（ａ）と裏織組織図（ｂ）を合わせた緯二重織組織図を、それぞれ図示するものである。
【図２】本発明の平織敷物の斜視図であり、一部を丸く囲んで拡大して示している。
【符号の説明】
１１  経糸
１２  表緯糸
１３  裏緯糸
１４  経糸間の隙間
１５  表緯糸間の隙間
１６  プリント模様
１７  平織敷物
１８  経糸の形成する枡目
１９  経糸の裏面
２０  表緯糸の経糸の下になった部分
２１  着色部分
２２  未着色部分
【図１】
0003867253.tif 000002
【図２】
0003867253.tif 000003